(57)【要約】【課題】  大きな定格電力となる電源と負荷との間をオンオフできる耐久性に優れた二極スイッチを提供する。【解決手段】  固定側端子部１０と可動側端子部２０のいずれか一方に電源側の配線を接続し、他方に負荷側の配線を接続し、その間を操作体３０の操作に伴いオンオフする基本構成であって、さらに固定側端子部１０と可動側端子部２０との間に分岐回路を構成し、各固定接点および可動接点２５に流れる電流を分配した。これにより大きな定格電力となる電源を接続しても、各固定接点と可動接点２５との間に流れる電流が小さくなる。【選択図】      図３
2014078451.tif 000002
【特許請求の範囲】
【請求項１】
オンオフ操作を行う操作体と、各極の配線がそれぞれ接続される固定側端子部と可動側端子部と、を備えた二極スイッチであって、
前記固定側端子部は、第１Ａ端子部と第１Ｂ端子部とを含み、
前記可動側端子部は、第２Ａ端子部と第２Ｂ端子部とを含み、
前記第１Ａ端子部は、分岐して２つの第１Ａ固定接点と電気的に接続されており、
前記第１Ｂ端子部は、分岐して２つの第１Ｂ固定接点と電気的に接続されており、
前記第２Ａ端子部は、分岐して２つの第２Ａ開閉機構部と電気的に接続されており、
前記第２Ｂ端子部は、分岐して２つの第２Ｂ開閉機構部と電気的に接続されており、
前記各第２Ａ開閉機構部および各第２Ｂ開閉機構部は、それぞれ揺動自在な可動接触子と、当該可動接触子に設けられた可動接点とを含み、
前記第１Ａ固定接点の一方と前記第２Ａ開閉機構部に含まれる前記可動接点の一方とが、接離自在に対向配置され、
前記第１Ａ固定接点の他方と前記第２Ａ開閉機構部に含まれる前記可動接点の他方とが、接離自在に対向配置され、
前記第１Ｂ固定接点の一方と前記第２Ｂ開閉機構部に含まれる前記可動接点の一方とが、接離自在に対向配置され、
前記第１Ｂ固定接点の他方と前記第２Ｂ開閉機構部に含まれる前記可動接点の他方とが、接離自在に対向配置され、
前記操作体は、前記４つの可動接触子を一括して揺動させる構成となっている、
ことを特徴とする二極スイッチ。
【請求項２】
前記各構成要素は器体に組み込まれており、
前記第１Ａ端子部は、前記器体の一側面に露出する固定側外部端子と、前記器体の内部で当該固定側外部端子と電気的に接続され２箇所に固定側分岐部を有する固定側接続導体とを含み、前記各固定側分岐部にそれぞれ前記第１Ａ固定接点が設けてあり、
前記第１Ｂ端子部も、前記器体の一側面に露出する固定側外部端子と、前記器体の内部で当該固定側外部端子と電気的に接続され２箇所に固定側分岐部を有する固定側接続導体とを含み、前記各固定側分岐部にそれぞれ前記第１Ｂ固定接点が設けてあり、
前記第２Ａ端子部は、前記器体の他側面に露出する可動側外部端子と、前記器体の内部で当該可動側外部端子と電気的に接続され２箇所に可動側分岐部を有する可動側接続導体とを含み、前記各固定側分岐部にそれぞれ前記第２Ａ開閉機構部が電気的に接続してあり、
前記第２Ｂ端子部も、前記器体の他側面に露出する可動側外部端子と、前記器体の内部で当該可動側外部端子と電気的に接続され２箇所に可動側分岐部を有する可動側接続導体とを含み、前記各固定側分岐部にそれぞれ前記第２Ｂ開閉機構部が電気的に接続してある、
ことを特徴とする請求項１の二極スイッチ。
【請求項３】
前記器体は、日本工業規格ＪＩＳ−Ｃ−８３０４に規定された配線器具取付枠へ装着する寸法形状に構成してあり、且つ当該配線器具取付枠へ固定するための固定金具を備えることを特徴とする請求項２の二極スイッチ。
【請求項４】
前記操作体は、オンオフ操作を行う操作部を前記器体の表面から突き出して配置するともに、前記器体に揺動自在に組み込まれており、
前記可動接触子は、前記器体の内部で一列に並べて配置してあり、前記器体の底部に揺動支点が設けられ、当該揺動支点とは逆側の揺動端縁に前記操作体が係合して、当該操作体の揺動に伴い各可動接触子が同じ方向に揺動する構成となっている、
ことを特徴とする請求項３の二極スイッチ。
【請求項５】
前記器体の両側面に、前記固定側外部端子および可動側外部端子を被覆する端子カバーを開閉自在に設けたことを特徴とする請求項４の二極スイッチ。
【発明の詳細な説明】
【技術分野】
【０００１】
本発明は、電源側の配線（回路）と負荷側の配線（回路）との間をオン／オフ（接続又は遮断）する機能を有した二極スイッチに関する。
ここで、「極」とはそのスイッチが同時に制御可能な回路の数をいい、したがって二極スイッチとは２つの回路を制御可能なスイッチをいう。
【背景技術】
【０００２】
従来のこの種の二極スイッチとしては、特許文献１に開示されたような構成のものが知られている。同文献１の二極スイッチは、器体の内部に、２個の固定端子と、２個の接続端子が組み込まれており、例えば、各固定端子に電源側の２本の配線が接続されるとともに、各接続端子に負荷側の２本の配線が接続される。各固定端子にはそれぞれ固定接点が電気的に接続してあり、また器体内部に組み込まれた２個の可動接触子にはそれぞれ可動接点が設けられ、各固定接点と可動接点が対向配置されている。可動接触子は、操作子の操作により揺動して、各可動接点を各固定接点に対して接離（すなわち、オンオフ）する構成となっている。
【０００３】
かかる従来の二極スイッチにあっては、特許文献１の図１０に示された回路のとおり、電源からの電流のすべてが各固定端子、固定接点、接続端子および可動接点に流れる。一般的な家庭向け交流電源は、１００Ｖ、１５Ａ程度の比較的小さな定格電力であるため、上述したスイッチ構成で支障はなかった。
しかし、例えば、３００Ｖ、３０Ａといった大きな定格電力となる電源を負荷につなぎ、その間をオンオフしたい場合には、従来の二極スイッチでは接点間に流れる電流が大きすぎて対応できなかった。
【先行技術文献】
【特許文献】
【０００４】
【特許文献１】特開２００１−２９１４５４号公報
【発明の概要】
【発明が解決しようとする課題】
【０００５】
本発明は、上述した事情に鑑みてなされたもので、大きな定格電力となる電源と負荷との間をオンオフできる耐久性に優れた二極スイッチの提供を目的とする。
【課題を解決するための手段】
【０００６】
上記目的を達成するために、本発明は、オンオフ操作を行う操作体と、各極の配線がそれぞれ接続される固定側端子部と可動側端子部と、を備えた二極スイッチであって、
固定側端子部は、第１Ａ端子部と第１Ｂ端子部とを含み、
可動側端子部は、第２Ａ端子部と第２Ｂ端子部とを含み、
第１Ａ端子部は、分岐して２つの第１Ａ固定接点と電気的に接続されており、
第１Ｂ端子部は、分岐して２つの第１Ｂ固定接点と電気的に接続されており、
第２Ａ端子部は、分岐して２つの第２Ａ開閉機構部と電気的に接続されており、
第２Ｂ端子部は、分岐して２つの第２Ｂ開閉機構部と電気的に接続されており、
各第２Ａ開閉機構部および各第２Ｂ開閉機構部は、それぞれ揺動自在な可動接触子と、当該可動接触子に設けられた可動接点とを含み、
第１Ａ固定接点の一方と第２Ａ開閉機構部に含まれる可動接点の一方とが、接離自在に対向配置され、
第１Ａ固定接点の他方と第２Ａ開閉機構部に含まれる可動接点の他方とが、接離自在に対向配置され、
第１Ｂ固定接点の一方と第２Ｂ開閉機構部に含まれる可動接点の一方とが、接離自在に対向配置され、
第１Ｂ固定接点の他方と第２Ｂ開閉機構部に含まれる可動接点の他方とが、接離自在に対向配置され、
操作体は、４つの可動接触子を一括して揺動させる構成となっていることを特徴とする。
【０００７】
上述した構成の本発明によれば、固定側端子部と可動側端子部のいずれか一方に電源側の配線を接続し、他方に負荷側の配線を接続し、その間を操作体の操作に伴いオンオフすることができる。そして、固定側端子部と可動側端子部との間に分岐回路を構成し、各固定接点および可動接点に流れる電流を分配したので、大きな定格電力となる電源を接続しても、各固定接点と可動接点との間に流れる電流は小さくなり、その結果、支障なくオンオフ動作を行うことができるとともに、高い耐久性を確保することが可能となる。
【０００８】
さらに、本発明は次のように構成することもできる。
すなわち、各構成要素は器体に組み込まれており、
第１Ａ端子部は、器体の一側面に露出する固定側外部端子と、器体の内部で当該固定側外部端子と電気的に接続され２箇所に固定側分岐部を有する固定側接続導体とを含み、各固定側分岐部にそれぞれ第１Ａ固定接点を設け、
第１Ｂ端子部も、器体の一側面に露出する固定側外部端子と、器体の内部で当該固定側外部端子と電気的に接続され２箇所に固定側分岐部を有する固定側接続導体とを含み、各固定側分岐部にそれぞれ第１Ｂ固定接点を設け、
第２Ａ端子部は、器体の他側面に露出する可動側外部端子と、器体の内部で当該可動側外部端子と電気的に接続され２箇所に可動側分岐部を有する可動側接続導体とを含み、各固定側分岐部にそれぞれ第２Ａ開閉機構部が電気的に接続し、
第２Ｂ端子部も、器体の他側面に露出する可動側外部端子と、器体の内部で当該可動側外部端子と電気的に接続され２箇所に可動側分岐部を有する可動側接続導体とを含み、各固定側分岐部にそれぞれ第２Ｂ開閉機構部が電気的に接続される構成としてもよい。
【０００９】
さらに、器体は、日本工業規格ＪＩＳ−Ｃ−８３０４に規定された配線器具取付枠へ装着する寸法形状に構成し、且つ当該配線器具取付枠へ固定するための固定金具を備える構成とすることが好ましい。このように構成することで、上記規格化された配線器具取付枠を用いて、従来の二極スイッチと同様に施設することが可能となり、施設作業がやりやすく作業性の向上を図ることができる。
【００１０】
さらに、操作体は、オンオフ操作を行う操作部を器体の表面から突き出して配置するともに、器体に揺動自在に組み込んだ構成とし、
可動接触子は、器体の内部で一列に並べて配置し、器体の底部に揺動支点が設けられ、当該揺動支点とは逆側の揺動端縁に操作体が係合して、当該操作体の揺動に伴い各可動接触子が同じ方向に揺動する構成としてもよい。
そして、器体の両側面に、固定側外部端子および可動側外部端子を被覆する端子カバーを開閉自在に設けることもできる。
【発明の効果】
【００１１】
以上説明したように、本発明によれば、固定側端子部と可動側端子部との間に分岐回路を構成し、各固定接点および可動接点に流れる電流を分配したので、大きな定格電力となる電源を接続しても、各固定接点と可動接点との間に流れる電流は小さくなり、その結果、支障なくオンオフ動作を行うことができるとともに、高い耐久性を確保することが可能となる。
【図面の簡単な説明】
【００１２】
【図１】本発明の実施形態に係る二極スイッチの外観斜視図である。
【図２】本発明の実施形態に係る二極スイッチの端子カバーを開いた状態を示す外観斜視図である。
【図３】本発明の実施形態に係る二極スイッチの内部構造を拡大して示す平面図である。
【図４】本発明の実施形態に係る二極スイッチの内部構造を示す縦断面図である。
【図５】本発明の実施形態に係る二極スイッチの構成部品を展開して示す平面図である。
【図６】本発明の実施形態に係る二極スイッチの構成部品を展開して示す縦断面図である。
【図７】本発明の実施形態に係る二極スイッチの電気的な回路構造を示す図である。
【図８】固定側接続導体を示す図で、（ａ）は平面図、（ｂ）は正面図、（ｃ）は左側面図、（ｄ）は背面図である。
【図９】可動側接続導体を示す図で、（ａ）は平面図、（ｂ）は正面図、（ｃ）は右側面図、（ｄ）は背面図である。
【図１０】可動接触子とその支持ばねを示す図で、（ａ）は可動接触子の平面図、（ｂ）は同じく正面図、（ｃ）は同じく右側面図、（ｄ）は支持ばねの平面図、（ｅ）は同じく正面図、（ｆ）は同じく右側面図である。
【図１１】操作体を示す図で、（ａ）は平面図、（ｂ）は右側面図、（ｃ）は背面図、（ｄ）は正面図、（ｅ）は縦断面図である。
【図１２】本発明の実施形態に係る二極スイッチを配線器具取付枠に装着した状態を示す平面図である。
【発明を実施するための形態】
【００１３】
以下、この発明の実施の形態について図面を参照して詳細に説明する。
本発明の実施形態に係る二極スイッチは、図１および図２に示すような外観をしている。後述するように器体１の両側面には端子カバー５０が開閉自在に設けてあり、図１はこの端子カバー５０が閉じた状態を示し、図２はこの端子カバー５０が開いた状態を示している。
二極スイッチを構成する各部品は、図３および図４に示すように器体１に組み込まれている。
【００１４】
図５および図６は、本実施形態に係る二極スイッチの構成部品を展開して示すである。ここで、図５は図３に示す平面図から各部品を取り出して展開した図であり、図６は図４に示す縦断面図から各部品を取り出して展開した図である。
これらの図面に示すとおり、本実施形態に係る二極スイッチは、器体１と、この器体１の両側面から露出する４つの外部端子１１，２１と、器体１の内部に組み込まれる各４つの接続導体１２，２２、可動接触子２４、支持ばね２６および押圧コイルばね２７と、操作体３０と、中台座４０と、２つの端子カバー５０と、２つの固定金具６０と備えている、
【００１５】
器体１は、樹脂成形されたケース２とカバー３とからなり、ケース２の表面開口部からその内部に各部品を組み込んだ後、当該表面開口部にカバー３を装着する構成となっている。カバー３の中央部には開口部３ａが形成してあり、この開口部３ａから操作体３０の操作部３１が外部に突き出す。
【００１６】
外部端子１１，２１は、２つの固定側外部端子１１と、２つの可動側外部端子２１とに分けられ、固定側外部端子１１は、器体１の一方の側面（図３、図５の左側面）から露出するように器体１に組み込まれる。また、可動側外部端子２１は、器体１の他方の側面（図３、図５の右側面）から露出するように器体１に組み込まれる。本実施形態では、各外部端子とも同じ寸法形状の端子ねじ１４、ばね座金１５および座金１６によって構成されている。
なお、本実施形態に係る二極端子は、例えば、３００Ｖ、３０Ａといった大きな定格電力となる電源を負荷につなぎ、その間をオンオフする用途を想定しており、かかる電源につながる配線が一般に撚り線であることに鑑み、撚り線を接続可能な端子ねじ１４を用いた構造としたが、用途に応じては公知のねじ無し端子構造（例えば、特許文献１参照）を採用することもできる。ねじ無し端子構造を採用した場合には、端子カバー５０を省略することができる。
【００１７】
次に、接続導体１２，２２は、２つの固定側接続導体１２と、２つの可動側接続導体２２とに分けられ、固定側接続導体１２は、器体１の一方の側部領域（図３、図５の左側領域）に組み込まれ、可動側接続導体２２は、器体１の他方の側部領域（図３、図５の右側領域）に組み込まれる。
図８に示すように、固定側接続導体１２は、金属板を折り曲げ加工して製作してあり、平板状の胴体部１２ａの中央部分に固定側外部端子１１の端子ねじ１４を螺合する雌ねじ部１２ｂが形成してあり、さらに胴体部１２ａの上端縁両脇２箇所からＵ字状に延出して固定側分岐部１２ｃが形成してある。そして、２つの固定側接続導体１２のうち、一方の固定側接続導体１２における各固定側分岐部１２ｃに第１Ａ固定接点１３ａが設けてあり、他方の固定側接続導体１２における各固定側分岐部１２ｃに第１Ｂ固定接点１３ｂが設けてある。
【００１８】
また、図９に示すように、可動側接続導体２２は、金属板を折り曲げ加工して形成してあり、平板状の胴体部２２ａの中央部分に可動側外部端子２１の端子ねじ１４を螺合する雌ねじ部２２ｂが形成してある。さらに、胴体部２２ａの両側部をＬ字状に折り曲げ、当該折り曲げ部の下縁をそれぞれ内側に折り曲げて当該２箇所に可動側分岐部２２ｃが形成してある。２つの可動側接続導体２２のそれぞれ２箇所に形成した可動側分岐部２２ｃには、リベットによって支持ばね２６が接続される。
【００１９】
図１０（ａ）〜（ｃ）に示すように、可動接触子２４は、金属板を切り抜いて製作してあり、下端縁２４ａが揺動支点を形成している。そして、可動接触子２４の中央部に可動接点２５が設けてある。なお、可動接点２５の上方に位置する上端縁２４ｂに、後述する操作体３０が係合する。
また、図１０（ｄ）〜（ｆ）に示すように、支持ばね２６は、金属板を折り曲げ加工して形成してあり、基部２６ａが上述したとおり可動側接続導体２２の可動側分岐部２２ｃに接続される。また、下向きに凹状をした中間湾曲部が可動接触子２４の支持部２６ｂを形成しており、この支持部２６ｂに可動接触子２４の下端縁２４ａ（揺動支点）が配置される。そして、この支持部２６ｂは、器体１の底部に組み込まれた押圧コイルばね２７によって上向きに付勢され、これ付勢力により可動接触子２４は所定の揺動角度を境として、オンオフいずれかの方向に強制的に揺動する。すなわち、トグル機構を構成している（図４参照）。
【００２０】
ここで、図３に示すように、一方の可動側接続導体２２における２箇所の可動側分岐部２２ｃと電気的にそれぞれ接続された可動接触子２４、支持ばね２６、押圧コイルばね２７および可動接点２５は、第２Ａ開閉機構部２３ａを構成する。同様に、他方の可動側接続導体２２における２箇所の可動側分岐部２２ｃと電気的にそれぞれ接続された可動接触子２４、支持ばね２６、押圧コイルばね２７および可動接点２５は、第２Ｂ開閉機構部２３ｂを構成する。
【００２１】
そして、一方の固定側接続導体１２に設けた２つの第１Ａ固定接点１３ａと、第２Ａ開閉機構部２３ａに含まれる２つの可動接点２５とが、互いに器体１内で接離自在に対向配置される。同様に、他方の固定側接続導体１２に設けた２つの第１Ｂ固定接点１３ｂと、第２Ｂ開閉機構部２３ｂに含まれる２つの可動接点２５とが、互いに器体１内で接離自在に対向配置される。
このとき、４つの可動接触子２４は、器体１の内部で一列に並べて配置される。
【００２２】
かかる構成において、図７に示すように、第１Ａ固定接点１３ａが設けられた固定側接続導体１２と、これに電気的に接続された一方の固定側外部端子１１とが、第１Ａ端子部１０ａを構成する。同様に、第１Ｂ固定接点１３ｂが設けられた固定側接続導体１２と、これに電気的に接続された他方の固定側外部端子１１とが、第１Ｂ端子部１０ｂを構成する。
そして、これら第１Ａ端子部１０ａと第１Ｂ端子部１０ｂとで、一方の極（図７では電源側配線）が接続される固定側端子部１０を構成している。
【００２３】
また、第２Ａ開閉機構部２３ａと、これに電気的に接続された一方の第２接続導体部および可動側外部端子２１とが、第２Ａ端子部２０ａを構成する。同様に、第２Ｂ開閉機構部２３ｂと、これに電気的に接続された他方の第２接続導体部および可動側側外部端子２１とが、第２Ｂ端子部２０ｂを構成する。
そして、これら第２Ａ端子部２０ａと第２Ｂ端子部２０ｂとで、他方の極（図７では負荷側配線）が接続される可動側端子部２０を構成している。
【００２４】
固定側端子部１０に設けられた第１Ａ端子部１０ａと、可動側端子部２０に設けられた第２Ａ端子部２０ａとの間は、固定側接続導体１２、第２Ａ開閉機構部２３ａおよび可動側接続導体２２によって２つに分岐しているため、各固定接点１３ａ，１３ｂおよび各可動接点２５に流れる電流値は、固定側外部端子１１に流れる電流値のほぼ半分の値となる。同様に、固定側端子部１０に設けられた第１Ｂ端子部１０ｂと、可動側端子部２０に設けられた第２Ｂ端子部２０ｂとの間も、固定側接続導体１２、第２Ｂ開閉機構部２３ｂおよび可動側接続導体２２によって２つに分岐しているため、各固定接点１３ａ，１３ｂおよび各可動接点２５に流れる電流値は、固定側外部端子１１に流れる電流値のほぼ半分の値となる。
このように、固定側端子部１０と可動側端子部２０との間に分岐回路を構成し、各固定接点１３ａ，１３ｂおよび可動接点２５に流れる電流を分配したので、大きな定格電力となる電源を接続しても、各固定接点１３ａ，１３ｂと可動接点２５との間に流れる電流は小さくなり、その結果、支障なくオンオフ動作を行うことができるとともに、高い耐久性を確保することが可能となる。
【００２５】
操作体３０は、図１１に示すように、基部３０ａの表面から突き出した操作部３１と、基部３０ａの裏面に一列に並べて形成した係合部３２とを備えており、さらに基部３０ａの両端面には揺動支点３３が形成してある。操作体３０は、この揺動支点３３を器体１の揺動支持部（図示せず）に配置するとともに、操作部３１を既述したカバー３の開口部３ａから外部へ突き出して配置し、さらに各係合部３２をそれぞれ４つの可動接触子２４の上端縁２４ｂと係合させた状態で、器体１に組み込まれる（図４参照）。
４つの可動接触子２４は、操作体３０の揺動操作に伴い、一括して揺動して各接点間を開閉する。
【００２６】
中台座４０は、ケース２の表面開口部に組み込まれて、内部の各構成部品を支える機能を有している。
端子カバー５０は、器体１の両側面に開閉自在に装着され、図１に示す閉塞状態において、固定側外部端子１１および可動側外部端子２１を被覆して、各外部端子１１，２１への塵埃の付着を防止する。
【００２７】
図１２に示すように、本実施形態の二極スイッチは、器体１を、日本工業規格ＪＩＳ−Ｃ−８３０４に規定された配線器具取付枠１００へ装着する寸法形状に構成してある。さらに、器体１の表面（ボス面）両脇には、かかる配線器具取付枠１００へ器体１を固定するための固定金具６０が設けてある。この構成により、規格化された配線器具取付枠１００を用いて、従来の二極スイッチと同様に施設することが可能となり、施設作業がやりやすく作業性の向上を図ることができる。
【００２８】
なお、本発明は上述した実施形態に限定されるものではなく、種々の変形又は応用が可能であることは勿論である。
【符号の説明】
【００２９】
１：器体、２：ケース、３：カバー、
１０：固定側端子部、１０ａ：第１Ａ端子部、１０ｂ：第１Ｂ端子部、１１：固定側外部端子、１２：固定側接続導体、１２ｃ：固定側分岐部、１３ａ：第１Ａ固定接点、１３ｂ：第１Ｂ固定接点、１４：端子ねじ、１５：ばね座金、１６：座金、
２０：可動側端子部、２０ａ：第２Ａ端子部、２０ｂ：第２Ｂ端子部、２１：可動側外部端子、２２：可動側接続導体、２２ｃ：可動側分岐部、２３ａ：第２Ａ開閉機構部、２３ｂ：第２Ｂ開閉機構部、２４：可動接触子、２５：可動接点、２６：支持ばね、２７：押圧コイルばね、
３０：操作体、３１：操作部、３２：係合部、３３：揺動支点
４０：中台座
５０：端子カバー
６０：固定金具
１００：配線器具取付枠
【図１】
2014078451.tif 000003
【図２】
2014078451.tif 000004
【図３】
2014078451.tif 000005
【図４】
2014078451.tif 000006
【図５】
2014078451.tif 000007
【図６】
2014078451.tif 000008
【図７】
2014078451.tif 000009
【図８】
2014078451.tif 000010
【図９】
2014078451.tif 000011
【図１０】
2014078451.tif 000012
【図１１】
2014078451.tif 000013
【図１２】
2014078451.tif 000014